(57)【要約】【課題】パーソナルコンピュータ等のネットワーク端末装置でＷＥＢサイトにアクセスしなくても、携帯電話端末を用いて、短文コミュニケーションサービス上の特定の発言表示を違和感無く行える技術を実現する。【解決手段】電話端末用発言情報管理サーバを用いて、ｔｗｉｔｔｅｒ等のＷＥＢコミュニケーションサービスを仲介して携帯電話端末の電子メール形式で、ＷＥＢコミュニケーションサービスの表示形式に準拠した表示フォーマットデータを送信することによって、携帯電話端末で自動的に受信される電子メールを表示させるだけで、ｔｗｉｔｔｅｒでフォローしているユーザの発言やお気に入り登録した発言元ユーザの発言、又は予め設定したキーワードやハッシュタグを含む発言をＷＥＢ上のｔｗｉｔｔｅｒ表示と違和感の無い表示形式で閲覧することができる。【選択図】図１
2011129009.tif 000002
【特許請求の範囲】
【請求項１】
ネットワークに接続されたサーバから提供されるＷＥＢページ上でユーザの短文入力を許可するとともに、ユーザと関係付けられた他のユーザの入力短文を表示するＷＥＢコミュニケーションサービスを利用した短文コミュニケーションシステムにおいて、
電話端末用発言情報管理サーバが、ユーザとの携帯電話端末のインターネット接続を介して、当該携帯電話端末から前記コミュニケーションサービスのアカウント情報と携帯電話端末のメールアドレスとを登録するステップと、
登録されたアカウント情報を用いて前記コミュニケーションサービスのＡＰＩを介して当該ユーザアカウントに関連付けられた発言情報を収集するステップと、
収集された発言情報を前記ＷＥＢコミュニケーションサービスの表示形式に準拠した表示フォーマットデータを生成するステップと、
前記表示フォーマットデータを格納又は添付した電子メールを生成するステップと、
前記電子メールを前記携帯電話端末のメールアドレスに対して送信するステップとからなる短文コミュニケーション方法。
【請求項２】
前記ＷＥＢコミュニケーションサービスはｔｗｉｔｔｅｒ（ｔｗｉｔｔｅｒ社の商標）である請求項１記載の短文コミュニケーション方法。
【請求項３】
前記でユーザアカウントに関係付けられたユーザはｔｗｉｔｔｅｒユーザとしてフォロー登録又はお気に入りユーザ登録、お気に入り発言登録した発言元ユーザ、又は特定のキーワードを含む発言、特定のハッシュタグを含むユーザの発言であることを特徴とする請求項２記載の短文コミュニケーション方法。
【請求項４】
前記で生成される表示フォーマットデータはＣ−ＨＴＭＬ、ＨＴＭＬ又はＸＭＬ書式で記述されていることを特徴とする請求項１記載の短文コミュニケーション方法。
【請求項５】
前記で生成される表示フォーマットデータには、リプライ又はリトゥイートが可能な発言者のユーザアカウント、他の画像、音声、動画情報が格納されたアドレスへのリンク情報、アプリケーションの起動コマンドが含まれている請求項１乃至４記載の短文コミュニケーション方法。
【発明の詳細な説明】
【技術分野】
【０００１】
本発明は、ｔｗｉｔｔｅｒ（ｔｗｉｔｔｅｒ社の商標）に代表される短文コミュニケーションシステムに関する。
【背景技術】
【０００２】
インターネット上で、１４０文字以内の個人ユーザのつぶやき発言を公開するｔｗｉｔｔｅｒ（ｔｗｉｔｔｅｒ社の商標）と呼ばれる短文コミュニケーションサービスが注目されている。
【０００３】
このｔｗｉｔｔｅｒでは、インターネットに接続可能なパーソナルコンピュータ等の通信端末から特定のＷＥＢページにアクセスしてユーザ自身が文字を入力してつぶやいたり、あるいはユーザが自身で関連付けを設定した他のユーザのつぶやき発言を時系列的に表示させるとこによってユーザ同士を共感させたり同情させるというような緩やかなコミュニケーションを実現させるネットワークサービスである。
【０００４】
１４０文字以内に限定された短文での情報発信であり、同じインターネット上のコミュニケーションサービスであるブログのような文章を推敲して写真との配置を考えてアップロード作業を行う煩雑さが無いため、ｔｗｉｔｔｅｒでは思い立った文言を気軽にインターネット上のＷＥＢページに用意された文章入力ボックスに文字入力を行えばよい。
【０００５】
なお、ｔｗｉｔｔｅｒで入力された情報を用いた効果的な情報の提示技術を提案している先行技術文献としては特開２００９−１９３１３３号公報（特許文献１）がある。
【先行技術文献】
【特許文献】
【０００６】
【特許文献１】特開２００９−１９３１３３号公報
【発明の概要】
【発明が解決しようとする課題】
【０００７】
しかし、上記特許文献１を始めとして、当該ｔｗｉｔｔｅｒによるコミュニケーションサービスでは、ＷＥＢページを表示させた状態でデータ入力を行うことを前提としているため、パーソナルコンピュータ等の端末装置インターネットに常時接続している状態でないとつぶやき発言を入力することも表示させることもできない。
【０００８】
そのために、外出時の移動中等のように、パーソナルコンピュータのネットワーク接続を切断した状態が続き、その後に再度自宅やオフィスでパーソナルコンピュータをネットワークに接続した段階では、フォローしておきたかった他のユーザの発言が既にタイムラインから消えてしまい、そのために仲間内でのコミュニケーションに乗り遅れることも多かった。
【０００９】
一方、我が国においては、携帯電話端末が独自の技術進歩により携帯電話端末のメールやインターネットアクセスが可能となっている。そのため、前記ｔｗｉｔｔｅｒと連動するモバイルサービス（たとえば、ｔｗｉｔｔｅｒ社の提供する「ｔｗｉｔｔｅｒ  Ｍｏｂｉｌｅ」や、がらくたラボ社の提供する「ＭｏｖａＴｗｉｔｔｅｒ」等）も提案されている。
【００１０】
しかし、これらのｔｗｉｔｔｅｒ機能を携帯電話端末で実現するモバイルサービスは、
いずれもパーソナルコンピュータで実現されている機能を携帯電話端末のｉ−ｍｏｄｅ（登録商標）等のインターネット接続を利用して実現しているにすぎず、携帯電話端末でこれらのモバイルサービスを利用する際には、電波状態の良い場所でインターネットに接続しなくてはならなかった。
【００１１】
本発明はこのような点に鑑みてなされたものであり、パーソナルコンピュータ等のネットワーク端末装置でＷＥＢサイトにアクセスしなくても、携帯電話端末を用いて、短文コミュニケーションサービス上の特定の発言表示を違和感無く行える技術を実現することを技術的課題とする。
【課題を解決するための手段】
【００１２】
前記課題を解決するために、本発明では、以下の手段を採用した。
本発明の請求項１は、ネットワークに接続されたサーバから提供されるＷＥＢページ上でユーザの短文入力を許可するとともに、ユーザと関係付けられた他のユーザの入力短文を表示するＷＥＢコミュニケーションサービスを利用した短文コミュニケーションシステムにおいて、電話端末用発言情報管理サーバが、ユーザとの携帯電話端末のインターネット接続を介して、当該携帯電話端末から前記コミュニケーションサービスのアカウント情報と携帯電話端末のメールアドレスとを登録するステップと、登録されたアカウント情報を用いて前記コミュニケーションサービスのＡＰＩを介して当該ユーザアカウントに関連付けられた発言情報を収集するステップと、収集された発言情報を前記ＷＥＢコミュニケーションサービスの表示形式に準拠した表示フォーマットデータを生成するステップと、前記表示フォーマットデータを格納又は添付した電子メールを生成するステップと、前記電子メールを前記携帯電話端末のメールアドレスに対して送信するステップとを有する短文コミュニケーション方法である。
【００１３】
これによれば、電話端末用発言情報管理サーバがｔｗｉｔｔｅｒ等のＷＥＢコミュニケーションサービスを仲介して携帯電話端末の電子メールでＷＥＢコミュニケーションサービスの表示形式に準拠した表示フォーマットデータを送信することによって、携帯電話端末で自動的に受信される電子メールを表示させるだけで、ｔｗｉｔｔｅｒでフォローしているユーザの発言やお気に入り登録した発言元ユーザの発言、又は予め設定したキーワードやハッシュタグを含む発言をＷＥＢ上のｔｗｉｔｔｅｒ表示と違和感の無い表示形式で閲覧することができる。
【００１４】
本発明の請求項２は、前記ＷＥＢコミュニケーションサービスはｔｗｉｔｔｅｒ（ｔｗｉｔｔｅｒ社の商標）である請求項１記載の短文コミュニケーション方法である。
【００１５】
これによれば、ＷＥＢ入力を前提としているｔｗｉｔｔｅｒサービスを、携帯電話端末のメール表示とシームレスに可能になり、ユーザに対して違和感の無い携帯電話端末でのｔｗｉｔｔｅｒ利用が可能となる。
【００１６】
本発明の請求項３は、前記でユーザアカウントに関係付けられたユーザはｔｗｉｔｔｅｒユーザとしてフォロー登録又はお気に入りユーザ登録、お気に入り発言登録した発言元ユーザ、又は特定のキーワードを含む発言、特定のハッシュタグを含むユーザの発言であることを特徴とする請求項２記載の短文コミュニケーション方法である。
【００１７】
これにより、フォローしている(ｆｏｌｌｏｗ：自分がその発言を注目している）ユー
ザの発言や、お気に入り(ｆａｖｏｒｉｔｅｓ)登録した発言の発言元ユーザの発言、予めユーザが登録した検索キーワードを含むユーザの発言、予めユーザが登録したハッシュタグ（特定のトピックを表示させるため、公式のｔｗｉｔｔｅｒ検索から検索可能なように、キーワードの前に「＃」を付与したタグ）が含まれている発言を電話端末用発言情報管
理サーバが収集・編集した表示フォーマットデータをユーザの携帯電話端末にメール送信・表示させることが可能となる。
【００１８】
本発明の請求項４は、前記で生成される表示フォーマットデータはＣ−ＨＴＭＬ、ＨＴＭＬ又はＸＭＬ書式で記述されていることを特徴とする請求項１記載の短文コミュニケーション方法である。
【００１９】
このようなマークアップ言語を用いることにより、ＷＥＢページで表示させるｔｗｉｔｔｅｒ画面と近似した表示が可能となり、ユーザに電子メールを意識させずに違和感を与えること無く、ｔｗｉｔｔｅｒコミュニケーションに参加させることが可能となる。
【００２０】
本発明の請求項５は、前記で生成される表示フォーマットデータには、リプライ又はリトゥイートが可能な発言者のユーザアカウント、他の画像、音声、動画情報が格納されたアドレスへのリンク情報、アプリケーションの起動コマンドが含まれている請求項１乃至４記載の短文コミュニケーション方法である。
【００２１】
これにより、電子メールに格納又は添付された表示フォーマットデータで表示されたｔｗｉｔｔｅｒ発言に対して、リプライ（Ｒｅｐｌｙ：返信）、リトゥイート（Ｒｅｔｗｅｅｔ：引用発言）、あるいはダイレクトメッセージ送信（直接送信）等を行うことも可能になる。また、ＪＡＶＡ（登録商標）やフラッシュ等のプログラム起動命令を含めておき、動的な画像を表示させるようにしてもよい。
【発明の効果】
【００２２】
本発明によれば、パーソナルコンピュータ等のネットワーク端末装置でＷＥＢサイトにアクセスしなくても、携帯電話端末を用いて、短文コミュニケーションサービス上の特定の発言表示を、違和感無く行える。
【図面の簡単な説明】
【００２３】
【図１】本発明の短文コミュニケーションシステムのシステム構成図
【図２】実施形態の電話端末用発言情報管理サーバのシステム構成図
【図３】ユーザテーブルの内容を示す説明図
【図４】受信条件テーブルの内容を示す説明図
【図５】電話端末用発言情報管理サーバで生成される表示フォーマットデータの一例
【図６】電話端末用発言情報管理サーバの中央処理装置で実現される機能ブロック図
【発明を実施するための形態】
【００２４】
以下、本発明の最良の実施形態を図面を用いて説明する。
【００２５】
図１は、本発明の短文コミュニケーションシステムのシステム構成図である。
【００２６】
同図において、ｔｗｉｔｔｅｒ管理サーバは、インターネット等のネットワーク（ＮＷ）に接続されており、パーソナルコンピュータ（ＰＣ）を通じてユーザの１４０文字以内の発言情報の入力を受け付け、当該発言情報を順次公式ｔｗｅｅｔとしてタイムライン（ＴＬ：時系列）表示したり、そのユーザがフォロー（ｆｏｌｌｏｗ）している他のユーザ（以下、「フォロワー情報」という）の発言情報だけを「自分と友人」のタイムラインとして表示する短文コミュニケーションサービスを提供している。
【００２７】
電話端末管理用発言情報管理サーバは、本発明を実現するための機能を提供するサーバであり、ｔｗｉｔｔｅｒ管理サーバとの連携、表示フォーマットデータの生成、当該表示フォーマットデータの携帯電話端末への配信等を行う。
【００２８】
携帯電話端末は、基地局を介してインターネット等のネットワーク（ＮＷ）に接続されており、通話機能の他に、ｉ−ｍｏｄｅ（登録商標）端末に代表される電子メールとネットワークアクセス機能を有する通信可能な電話端末である。
【００２９】
電話端末用発言情報管理サーバは、図２に示すようなインターフェース（ＩＦ）を介してネットワーク（ＮＷ）に接続可能な汎用のネットワークサーバである。すなわち、バス（ＢＵＳ）を介して、中央処理装置（ＣＰＵ）、メインメモリ（ＭＭ）、大規模記憶装置としてのハードディスク装置（ＨＤ）、入力デバイスとしてのキーボード（ＫＢＤ）、出力デバイスとしてのディスプレイ装置（ＤＩＳＰ）等を有している。
【００３０】
前記ハードディスク装置（ＨＤ）内には、オペレーティングシステム（ＯＳ）の他に、本サーバを機能させるためのサーバアプリケーションプログラム（ＡＰＬ）が登録されており、当該プログラムをバス（ＢＵＳ）およびメインメモリ（ＭＭ）を介して中央処理装置（ＣＰＵ）が順次読み込むことによって本実施形態に説明する機能が実現されるようになっている。
【００３１】
また、ハードディスク装置（ＨＤ）には、ユーザテーブル、ユーザ条件テーブルやユーザデータが登録されるようになっているが、これらのテーブルやデータは図示しないが別途設けられるデータベースサーバに登録してもよい。
【００３２】
図３は、上記ユーザテーブルの登録内容を示したものである。同図に示すようにｔｗｉｔｔｅｒアカウントに対して、パスワード、携帯電話端末のメールアドレス、フォローしているユーザのアカウント（ｆｏｌｌｏｗｉｎｇ）、お気に入り発言のユーザのアカウント（ｆａｖｏｒｉｔｅｓ）、過去に検索した検索キーワード、ハッシュタグ等が関連付けられて登録されている。ここで、メールアドレスの登録については、カメラ機能付き携帯電話端末ＱＲコードの読み取り機能を用いてたり、直接、電話端末用発言情報管理サーバのアドレス（たとえば、ｈｔｔｐ：／／ｔｗｉｔｔｍａｉｌ．ｊｐ）にアクセスし、当該アドレスのＷＥＢページに用意されたメールアドレスに対して、本文の無い所謂空メールを送信させることで、電話端末用発言情報管理サーバが当該携帯電話端末のメールアドレスを取得し、登録することができる。
【００３３】
図４は、受信条件テーブルの登録内容を示している。このテーブルは主に、携帯電話端末に対して送信する電子メールの条件について設定するテーブルであり、電子メールの受信可能な時間や、受信間隔、受信件数等が、ユーザの携帯電話端末から当該電話端末用発言情報管理サーバにアクセスすることで設定可能になっている。この条件テーブルは、たとえばｇｏｏｇｌｅカレンダー等のようにＡＰＩが公開されているＷＥＢ上のスケジュール管理システムより当該ユーザのスケジュールを読み出して、スケジュールの登録されていない時間帯にのみ送信するように条件設定してもよい。
【００３４】
また、ユーザテーブル又は受信条件テーブルの設定によって、ｔｗｉｔｔｅｒの公式ＴＬから出現頻度の高いキーワードを含む発言情報を表示させるよう設定してもよい。
【００３５】
また、ここでの条件設定によって、全てのｔｗｉｔｔｅｒユーザの発言をパブリックタイムラインとして表示させることもできる。
【００３６】
さらに、ｂｅｔｗｅｅｎ設定を行い、特定のユーザーアカウントを有する２人のユーザが交わす会話（発言情報）を追う（表示させる）こともできる。
【００３７】
さらに、ｌｏｃａｔｉｏｎ設定を行い、発言入力時にＧＰＳ機能や携帯電話端末の基地
局による位置認識機能を用いて、発言情報に位置情報を付加させて、携帯電話端末を所持するユーザに対して一定の距離内にいるユーザの発言情報を表示させるようにしてもよい。
【００３８】
図５は、電話端末用発言情報管理サーバの中央処理装置（ＣＰＵ）が生成する表示フォーマットデータの一例である。同図に示すように当該フォーマットデータは、ｔｗｉｔｔｅｒのＷＥＢ表示画面に近似しているが、本実施形態では、このようにｔｗｉｔｔｅｒのＷＥＢ画面と違和感の無い表示フォーマットデータを携帯電話端末のメール機能によって受信できる点が特徴である。
【００３９】
図６は、前述のサーバアプリケーションプログラム（ＡＰＬ）が中央処理装置（ＣＰＵ）に読み込まれることによって実現される機能をブロック化して説明したものである。
【００４０】
すなわち、電話端末管理用発言情報管理サーバの中央処理装置（ＣＰＵ）は、携帯電話端末を所有するユーザから、ｔｗｉｔｔｅｒアカウントとパスワード（一括して「アカウント情報」という）の入力を受け付けて（ユーザアカウント取得部）、前記ｔｗｉｔｔｅｒ管理サーバが公開提供しているＡＰＩ（Ａｐｐｌｉｃａｔｉｏｎ  Ｐｒｏｇｒａｍ  Ｉｎｔｅｒｆａｃｅ）を通じて（ｔｗｉｔｔｅｒ管理サーバ通信部）、当該アカウント情報に基づく、フォロワー情報、お気に入り発言情報（ユーザ自身がお気に入り「ｆａｂｏｒｉｔｅｓ」特性を指定した発言）、ユーザ自身が過去に検索した検索キーワード、ハッシュタグ情報等をネットワーク（ＮＷ）を介して取得し、ユーザテーブルに設定する。このとき、ユーザの携帯電話端末から当該電話端末用発言情報管理サーバへのアクセスを許可することで、ｔｗｉｔｔｅｒ管理サーバから入手したフォロワー情報の中から、特にフォローしたい（発言情報を閲覧したい）ユーザを限定させることができる（配信条件設定部）。
【００４１】
また、このときに、ユーザ自身に前記表示フォーマットデータが格納・添付されたメールの配信条件（たとえば受信時間、受信間隔や受信件数）を設定させてもよい。
【００４２】
次に、中央処理装置（ＣＰＵ）は、前記ユーザテーブルと受信条件テーブルとを参照しながら、表示フォーマットデータを生成する（表示データフォーマット生成部）。そして、受信条件テーブルの設定条件と合致したときに、当該表示フォーマットデータをネットワーク（ＮＷ）を介して指定されたユーザアドレスを有する携帯電話端末に対して送信する（送信部）。
【００４３】
次に、このようにして受信された当該表示フォーマットデータ（図５）を簡単に説明する。
【００４４】
この表示フォーマットデータは、Ｃ−ＨＴＭＬ言語等のマークアップ言語で記述されており、メール本文に格納されている。
【００４５】
同図の上から一つ目の発言において、アンダーラインを付した発言部分はリンク設定がなされている。たとえば「ｈａｌｕ９」はこのメールを受信したユーザがフォローしているユーザアカウントであるため、当該ユーザの発言が表示されている。また、当該発言に付記されたＵＲＬ（ｈｔｔｐ：／／ｈａｌ８９．ｃｏｍ／ｐｉｃｔｕｒｅ）には当該ユーザが撮影した写真データ（ＪＰＥＧ）が格納されており、このＵＲＬを指定入力する（携帯電話端末の表示画面で当該部位を反転表示させて決定ボタンを押し下げる）ことによってこのＵＲＬに関連付けられた写真画像が画面に表示されてもよい。
【００４６】
また上から２つめの発言情報はいわゆるリトゥイート発言（ＲＴ：Ｒｅｔｗｅｅｔ）で
あり、第三者の発言をそのまま引用したものである。この場合にも当該ＲＴの文字に続くユーザアカウントを指定入力することで当該ユーザに返信（Ｒｅｐｌｙ）してもよい。
【００４７】
上から３つめの発言は、ユーザが登録したハッシュタグ（＃ｔｉｚａｉｂｉｚ）が含まれる発言である。このようなハッシュタグを含む発言は、当該発言元のユーザをフォローしていない場合でも検索条件に合致した結果が収集されている。
【００４８】
上から４つめの発言は、いわゆるリプライ発言であり、５つめの発言に対する返信である。ここでは、５つめの発言者アカウントと、４つめの発言者アカウントの双方ともにユーザテーブルに登録されているため収集・表示されている。
【００４９】
なお、この表示フォーマットデータには、アドレス（ＵＲＬ）、リツイート発言のアカウント表示、ハッシュタグ表示等が示されているが、これ以外に、発言に関連付けてＪＡＶＡ（登録商標）アプリケーションプログラムやフラッシュ等の起動コマンドが設定されて、これら指定入力されることによって、動画等が表示されるようになっていてもよい。
【００５０】
なお、以上の実施形態の説明では、インターネット上でのコミュニケーションサービスの代表例であるｔｗｉｔｔｅｒを例に説明したが、たとえばサイバーエージェント社が提供するミニブログサービス「アメーバなう」（サイバーエージェント社の商標）のようなｔｗｉｔｔｅｒ以外の短文コミュニケーションサービスにおいても適用可能なことは勿論である。
【産業上の利用可能性】
【００５１】
本発明は、ｔｗｉｔｔｅｒに代表されるインターネット上の短文コミュニケーションサービスに利用可能である。
【符号の説明】
【００５２】
ＣＰＵ  中央処理装置
ＭＭ  メインメモリ
ＢＵＳ  バス
ＩＦ  インターフェース
ＨＤ  ハードディスク装置
ＡＰＬ  サーバアプリケーションプログラム
ＯＳ  オペレーティングシステム
ＤＩＳＰ  ディスプレイ装置
ＫＢＤ  キーボード
【図１】
2011129009.tif 000003
【図２】
2011129009.tif 000004
【図３】
2011129009.tif 000005
【図４】
2011129009.tif 000006
【図５】
2011129009.tif 000007
【図６】
2011129009.tif 000008
【手続補正書】
【提出日】平成21年12月25日(2009.12.25)
【手続補正１】
【補正対象書類名】図面
【補正対象項目名】全図
【補正方法】変更
【補正の内容】
【図１】
2011129009.tif 000009
【図２】
2011129009.tif 000010
【図３】
2011129009.tif 000011
【図４】
2011129009.tif 000012
【図５】
2011129009.tif 000013
【図６】
2011129009.tif 000014